(57)【要約】【課題】  手先や腕などが身体的に不自由な人や車椅子使用者などを含めて、誰にでも紙幣挿入口への紙幣の投入動作を容易に行うことができ、かつ、前面扉から手前側への出っ張りが少なくて設置奥行きスペースに制限を受けやすい場所でも設置でき、しかも、自動販売機を庫外に設置した場合でも、内部に雨水や異物が浸入することを防止できる自動販売機の紙幣受入装置を提供する。【解決手段】紙幣６を挿入時に案内する主ガイド面７とこの主ガイド面７の両サイドに形成されて紙幣の両側辺を案内する補助ガイド壁８とを有する挿入ガイド９を略鉛直方向に沿って配設し、前記挿入ガイド９の上方に、紙幣識別装置１の紙幣挿入口２に向かってなだらかに曲がったガイド曲面１０ａを内側に有するトンネル状の紙幣誘導路１０を設け、この紙幣誘導路１０の下部開口部１０ｂを略下向きに配置した。【選択図】    図２
2006244322.tif 000002
【特許請求の範囲】
【請求項１】
紙幣識別装置への紙幣を受け入れる自動販売機の紙幣受入装置であって、
紙幣を挿入時に案内する主ガイド面とこの主ガイド面の両サイドに形成されて紙幣の両側辺を案内する補助ガイド壁とを有する挿入ガイドを略鉛直方向に沿って配設し、
前記挿入ガイドの上方に、紙幣識別装置の紙幣挿入口に向かってなだらかに曲がったガイド曲面を内側に有するトンネル状の紙幣誘導路を設け、
この紙幣誘導路の下部開口部を略下向きに配置したことを特徴とする自動販売機の紙幣受入装置。
【請求項２】
紙幣識別装置から排出された、もしくは、紙幣識別装置にうまく導入されなかった紙幣の下端辺に当接して紙幣が落下することを防止する紙幣落下防止片を備えたことを特徴とする請求項１記載の自動販売機の紙幣受入装置。
【請求項３】
トンネル状の紙幣誘導路の表側部分をなす表側曲面ガイド体が、その上端部で軸支されており、表側曲面ガイド体の下部が手前側に開閉可能に配設されていることを特徴とする請求項１または２に記載の自動販売機の紙幣受入装置。
【請求項４】
挿入ガイドおよび紙幣誘導路をなす部分を、前面扉板に取り付けられる紙幣挿入口枠により形成し、紙幣識別装置の紙幣挿入口に接続される紙幣誘導路をなす部分を、前面扉板に形成された取付孔に挿入して組付けたことを特徴とする請求項１または２に記載の自動販売機の紙幣受入装置。
【請求項５】
少なくとも紙幣誘導路の表面側をなす部分を透明に構成していることを特徴とする請求項１〜４の何れか１項に記載の自動販売機の紙幣受入装置。
【発明の詳細な説明】
【技術分野】
【０００１】
本発明は、紙幣を受け入れる紙幣受入装置を備えた自動販売機に関する。
【背景技術】
【０００２】
缶・紙パック・カップ飲料や食品・日用雑貨・券売機などの一般的な自動販売機には、千円札などの紙幣を識別しながら収容する紙幣識別装置（いわゆるビルバリデータ）を搭載しているものがあり、この紙幣識別装置の紙幣投入口には、紙幣を受け入れる紙幣受入装置が設けられている。
【０００３】
図１８は一般的な従来の紙幣受入装置５０の構造を示す正面図、図１９は図１８のＡ−Ａ線に対応する位置での紙幣受入装置およびその近傍箇所の側面断面図で、図１９、図１８において、５１は紙幣識別装置（いわゆるビルバリデータ）、５２は紙幣識別装置５１の紙幣挿入口である。この紙幣受入装置５０では、自動販売機の前面扉板５３に組み付けられている紙幣挿入口枠５４に、その上端部に挿通された支持軸５９で枢支された紙幣挿入口扉５５が手前側に向けて開閉自在に取り付けられている。そして、自動販売機の待機状態では、紙幣挿入口扉５５により紙幣識別装置５１の紙幣挿入口５２を覆うことで、紙幣識別装置５１の内部に雨水や異物が侵入しないよう防止している（特許文献１の図４などに、同等な構造が示されている）。また、特許文献２等に開示されているように、風などによって紙幣挿入口扉５５がバタバタすることを防止するために、バネやダンパーにより紙幣挿入口扉５５を、紙幣挿入口５２を塞ぐ方向に付勢したものもある。
【０００４】
このような構造の自動販売機に対して利用客が紙幣を投入する際には、まず、片方の手で紙幣を持ち、次に、図１９に示すように、他方の手で紙幣挿入口扉５５をＢ方向に持ち上げて開き、前記片方の手で持った紙幣の柔らかな先端を紙幣挿入口５２をめがけてＣ方向（奥側）に差し込むことで、紙幣を紙幣識別装置５１の紙幣挿入口５２に投入するようになっている。
【０００５】
しかし、この種の構造では、紙幣の投入に際して、両手を使わなければならない上に、紙幣の微妙な位置決め操作を要するため、手先や腕が不自由な人や、視力が弱い人にとっては非常に操作性が悪く、片手しか使えない人にとっては、操作そのものが不可能である欠点がある。
【０００６】
このような欠点を改善する構成として、図２０〜図２２に示すように、手先や腕などが身体的に不自由な人や車椅子使用者などでも使えるように、投入される紙幣を案内する水平ガイド部５６を前面扉から手前側に水平に突出するように設けて、操作性を向上させた紙幣受入装置５７が有る。この種の紙幣受入装置５７を備えた自動販売機は、いわゆるバリアフリー機と呼ばれるもので特許文献３等で開示されているような構造が知られている。このようなバリアフリー機では、車いす使用者の利用も考慮して比較的低い位置に紙幣挿入口５２が配設されていることが一般的であるため、より使い易いものとなっている。また、駅などの切符の自動販売機などにおいても、水平ガイド部を設けてなる類似の構造を備えたものがある。
【特許文献１】特開２０００−１４９１２２号公報
【特許文献２】特開平８−６３６４０号公報
【特許文献３】特開２００４−１６４１１０号公報
【発明の開示】
【発明が解決しようとする課題】
【０００７】
しかしながら、上記図２１、図２２に示すように、投入される紙幣を案内する水平ガイド部５６を設けた、いわゆるバリアフリー機と呼ばれるような従来の自動販売機の紙幣受入装置の構成では、手先や腕などが身体的に不自由な人や車椅子使用者などでも使える長所がある一方で、水平ガイド部５６が自動販売機の前面扉板５３から手前側に大きく出っ張る構造（出っ張り寸法Ｑ）とならざるを得ないため、自動販売機の設置奥行きスペースに制限を受けることの多い、いわゆる一般の自動販売機においては、採用することが難しいという課題があった。また、この種の自動販売機を戸外に設置すると、水平ガイド部５６から紙幣識別装置５１の紙幣挿入口５２内に雨水や異物が侵入するおそれもあった。
【０００８】
本発明は上記課題を解決するもので、手先や腕などが身体的に不自由な人や車椅子使用者などを含めて、誰にでも紙幣挿入口への紙幣の投入動作を容易に行うことができ、かつ、前面扉から手前側への出っ張りが少なくて設置奥行きスペースに制限を受けやすい場所でも設置でき、しかも、自動販売機を戸外に設置した場合でも、内部に雨水や異物が浸入することを防止できる自動販売機の紙幣受入装置を提供することを目的とするものである。
【課題を解決するための手段】
【０００９】
上記課題を解決するために本発明は、紙幣識別装置への紙幣を受け入れる自動販売機の紙幣受入装置であって、紙幣を挿入時に案内する主ガイド面とこの主ガイド面の両サイドに形成されて紙幣の両側辺を案内する補助ガイド壁とを有する挿入ガイドを略鉛直方向に沿って配設し、前記挿入ガイドの上方に、紙幣識別装置の紙幣挿入口に向かってなだらかに曲がったガイド曲面を内側に有するトンネル状の紙幣誘導路を設け、この紙幣誘導路の下部開口部を略下向きに配置したことを特徴とする。
【００１０】
この構成により、紙幣を挿入時に案内する挿入ガイドおよび紙幣誘導路が設けられているので、誰にでも片手で紙幣挿入口への紙幣の投入動作を容易に行うことができ、また、挿入ガイドが略鉛直方向に沿って配設されているので、紙幣受入装置が前面扉から手前側にあまり突出しない姿勢や、殆ど突出しない姿勢で配設できて、設置奥行きスペースに制限を受けやすい場所でも設置できる。しかも、紙幣誘導路の下部開口部を略下向きに配置し、この下部開口部以外の箇所がトンネル状に覆われているので、自動販売機を戸外などに設置した場合でも、紙幣誘導路から内部に雨水や異物が浸入することを防止できる。
【００１１】
また、本発明は、紙幣識別装置から排出された、もしくは、紙幣識別装置にうまく導入されなかった紙幣の下端辺に当接して紙幣が落下することを防止する紙幣落下防止片を備えたことを特徴とする。
【００１２】
この構成により、不良判定されるなどして紙幣識別装置から紙幣が排出されたり、紙幣識別装置に紙幣がうまく導入されなかったりした場合でも、紙幣の下端辺が紙幣落下防止片に当接し、紙幣が紙幣受入装置から落下することを防止できる。
【００１３】
また、本発明は、トンネル状の紙幣誘導路の表側部分をなす表側曲面ガイド体が、その上端部で軸支されており、表側曲面ガイド体の下部が手前側に開閉可能に配設されていることを特徴とする。
【００１４】
この構成により、紙幣の挿入操作で紙幣を略垂直に配設された主ガイド面に押し付けながら上方にスライドさせて投入する時に、手が表側曲面ガイド体に当たると、この表側曲面ガイド体が手前側上方へ開いて逃げ、この結果、前記スライド量を多くとれて紙幣の挿入操作をより楽に行うことができる。
【００１５】
また、本発明は、少なくとも紙幣誘導路の表面側をなす部分を透明に構成していることを特徴とし、この構成により、紙幣誘導路における紙幣の進み具合も良好に視認できて、便利である。
【発明の効果】
【００１６】
以上のように本発明によれば、紙幣を挿入時に案内する主ガイド面とこの主ガイド面の両サイドに形成されて紙幣の両側辺を案内する補助ガイド壁とを有する挿入ガイドを略鉛直方向に沿って配設し、前記挿入ガイドの上方に、紙幣識別装置の紙幣挿入口に向かってなだらかに曲がったガイド曲面を内側に有するトンネル状の紙幣誘導路を設け、この紙幣誘導路の下部開口部を略下向きに配置したことにより、誰にでも片手で紙幣挿入口への紙幣の投入動作を容易に行うことができ、一般の自動販売機にも紙幣受入装置に簡単にバリアフリー機能を付加することが可能である。また、挿入ガイドが略鉛直方向に沿って配設されているので、紙幣受入装置が前面扉から手前側にあまり突出しない姿勢や、殆ど突出しない姿勢で配設できて、設置奥行きスペースに制限を受けやすい場所でも設置できる。しかも、紙幣誘導路の下部開口部を略下向きに配置し、この下部開口部以外の箇所がトンネル状に覆われているので、自動販売機を戸外などに設置した場合でも、紙幣誘導路から内部に雨水や異物が浸入することを防止でき、雨水や異物の侵入による紙幣識別装置の故障を防止できて、信頼性が向上する。
【００１７】
また、紙幣識別装置から排出された、もしくは、紙幣識別装置にうまく導入されなかった紙幣の下端辺に当接して、紙幣が落下することを防止する紙幣落下防止片を備えたことにより、不良判定されるなどして紙幣識別装置から紙幣が排出されたり、紙幣識別装置に紙幣がうまく導入されなかったりした場合でも、紙幣の下端辺が紙幣落下防止片に当接し、紙幣が紙幣受入装置から落下することを防止でき、これにより、紙幣の落下が防止されるので、極めて便利であり、特に、手先や腕などが身体的に不自由な人や車椅子使用者、お年寄りなどの利用者にとっては特に有用である。
【００１８】
また、トンネル状の紙幣誘導路の表側部分をなす表側曲面ガイド体が、その上端部で軸支されており、表側曲面ガイド体の下部が手前側に開閉可能に配設されていることにより、紙幣の挿入操作をより楽に行うことができ、これによっても利便性が向上する。
【００１９】
また、挿入ガイドおよび紙幣誘導路を、前面扉板に取り付けられる紙幣挿入口枠により形成し、紙幣識別装置の紙幣挿入口に接続される紙幣誘導路をなす部分を、前面扉板に形成された取付孔に挿入して組付けたことにより、取付孔の大きさを小さくすることができて、防盗性を向上させることができる。
【００２０】
また、少なくとも紙幣誘導路の表面側をなす部分を透明に構成することにより、紙幣誘導路における紙幣の進み具合も良好に視認できて、便利である。
【発明を実施するための最良の形態】
【００２１】
以下、本発明の実施の形態にかかる自動販売機の紙幣受入装置を図面に基づき説明する。
図１は本発明の第１の実施の形態に係る自動販売機の紙幣受入装置の正面図、図２は、同紙幣受入装置およびその近傍箇所の図１Ｅ−Ｅ線に対応する位置での側面断面図、図３（ａ）〜（ｃ）はそれぞれ同紙幣受入装置の紙幣を投入している状態を示す側面断面図、図４は同紙幣受入装置の斜視図である。
【００２２】
図２，図１において、１は紙幣識別装置（いわゆるビルバリデータ）、２は紙幣識別装置１の紙幣挿入口、３は紙幣受入装置、４は前面扉である。図１〜図３に示すように、この紙幣受入装置３は、樹脂材料で一体形成された紙幣挿入口枠５により構成されている。紙幣挿入口枠５には、その中央部から下部にかけて、紙幣６を挿入時に案内する主ガイド面７とこの主ガイド面７の両サイドに形成されて紙幣６の両側辺を案内する補助ガイド壁８とを有する挿入ガイド９が略鉛直方向に沿って配設されている。また、紙幣挿入口枠５の上部には、挿入ガイド９から上方に続くようにして、紙幣識別装置１の紙幣挿入口２に向かってなだらかに曲がったガイド曲面１０ａを内側に有するトンネル状の紙幣誘導路１０が形成され、この紙幣誘導路１０は、表面側の表側曲面ガイド部１１と、主ガイド面７に続いて上方に形成されている裏側曲面ガイド部１２とを所定隙間をあけた状態で扁平形状に一体的に接続して形成されている。そして特に、紙幣誘導路１０の下部開口部１０ｂは略下向きになるように形成されている。
【００２３】
なお、この実施の形態においては、表側曲面ガイド部１１の下端部１１ａが、斜め下方に延設されて、紙幣誘導路１０の下部開口部１０ｂが広がるように形成されており、紙幣６の上端辺に位置する箇所が、主ガイド面７から若干浮き上がった状態で挿入された場合でも、この紙幣６の上端辺に位置する箇所を、紙幣誘導路１０内に良好に誘導できるよう構成されている。
【００２４】
また、この実施の形態では、挿入ガイド９と、紙幣誘導路１０を構成する箇所とが、すなわち紙幣受入装置３全体が、１つの成形品である紙幣挿入口枠５により一体成形されている。なお、紙幣挿入口枠５を透明材料で形成してもよく、この具体的例としては、大きな強度を有する透明強化樹脂、強化ガラス、透明セラミックなどを用いるとよい。また、紙幣挿入口枠５の外周部だけが後方寄り位置で鍔状に外周に広がっており、この紙幣挿入口枠５の外周の鍔状部５ａが、前面扉４の前面扉板４ａに後方から当てられて、紙幣挿入口枠５の外周部（鍔状部５ａ）よりも中央寄りの箇所が、前面扉４の前面扉板４ａに形成された取付孔４ｂに対して後方から手前側に嵌め込まれて前面扉４に取り付けられている。
【００２５】
この構成において、利用者が紙幣６を投入する際には、図３（ａ）および図４に示すように、片手で、紙幣６の上部を垂直に配設された主ガイド面７に軽く押さえつけ、図３（ｂ）に示すように、さらに紙幣６を主ガイド面７および補助ガイド壁８に沿わせるようにして、紙幣６を上方（Ｆ方向）に送り込む。これにより、紙幣６の上端辺に位置した部分が紙幣誘導路１０に導かれて、図３（ｂ）に示すように、ガイド曲面１０ａに臨む表側曲面ガイド部１１の曲面部分に当接する。そして、図３（ｃ）に示すように、さらに紙幣６を上方（Ｇ方向）に送り込むと、紙幣６の先端（上端辺に位置する箇所）が、紙幣誘導路１０のガイド曲面１０ａに沿うように屈曲して後方に案内され、紙幣識別装置１の紙幣挿入口２に誘導される。そして、紙幣６の先端が紙幣識別装置１の紙幣挿入口２に進入した時点で、紙幣識別装置１が紙幣６の挿入を感知し、紙幣６の取込動作が行われる。
【００２６】
このように、紙幣６を挿入時に案内する挿入ガイド９および紙幣誘導路１０が設けられているので、誰にでも片手で紙幣挿入口２への紙幣６の投入動作を容易に行うことができ、手先や腕などが身体的に不自由な人や車椅子使用者などでも比較的簡単に使用できる。したがって、いわゆるバリアフリー機と呼ばれるような自動販売機ではなくて、いわゆる一般の自動販売機にも、この紙幣受入装置３に簡単にバリアフリー機能を付加することが可能である。
【００２７】
また、紙幣挿入口枠５を透明材料で形成すると、紙幣誘導路１０における紙幣６の進み具合も良好に視認できて、紙幣６の先端が紙幣識別装置１の紙幣挿入口２に進入したことを容易に見ることができ、紙幣６の取込動作が始められた際も、この取り込み動作を目によっても確認できて、便利である。なお、このように透明材料で形成する際も含めて、紙幣挿入口枠５の材料としては、上述したような強度が高いものを用いるとよく、これにより防盗性能の低下を防止できる。
【００２８】
また、挿入ガイド９を略鉛直方向に沿わせて配設しているので、挿入ガイド９により紙幣６をガイドする距離にかかわらず、紙幣受入装置３を前面扉４から手前側にあまり突出しない姿勢に配置でき、実質的にも、図２０〜図２２に示すような水平ガイド部５６を設けた場合と比較して、手前側への出っ張り寸法Ｒ（図２参照）を約１／４（図２２の寸法Ｑの１／４）以下まで減少させることができ、設置奥行きスペースに制限を受けやすい場所でも設置できる。なお、図示していないが、前面扉４の前面に絞り凹部を設けるなどの工夫をすることで、いわゆる一般の自動販売機と同様に前面扉板４ａとほぼ同一面までに出っ張り寸法を少なくすることも可能である。
【００２９】
しかも、紙幣誘導路１０の下部開口部１０ｂを略下向きに配置し、この下部開口部１０ｂ以外の箇所が表側曲面ガイド部１１によりトンネル状に覆われているので、自動販売機を戸外などに設置した場合でも、紙幣誘導路１０から内部に雨水や異物が入り込むことを防止でき、雨水や異物の侵入による紙幣識別装置１の故障も防止できて、信頼性が向上する。
【００３０】
さらに、紙幣受入装置３の部品点数に関しても、図１９に示すような従来の紙幣受入装置の構造であれば、紙幣挿入口枠５４、紙幣挿入口扉５５、支持軸５９、付勢バネあるいはダンパー（図示せず）の４点の部品が必要であるのに対し、この実施の形態の紙幣受入装置３の構造であれば、紙幣挿入口枠５の１点の部品だけで済み、組み付けも極めて簡単であるため、製造コストを極めて低く抑えることが可能である。
【００３１】
次に、図５〜図７は本発明の第２の実施の形態に係る自動販売機の紙幣受入装置を示すもので、図５は紙幣受入装置の正面図、図６は、同紙幣受入装置およびその近傍箇所の図５Ｈ−Ｈ線に対応する位置での側面断面図、図７（ａ）〜（ｄ）はそれぞれ同紙幣受入装置の組みつけ順序を示す簡略的な断面図である。
【００３２】
これらの図に示すように、この紙幣受入装置３においても、挿入ガイド９および紙幣誘導路１０をなす部分が紙幣挿入口枠５により一体形成されており、紙幣挿入口枠５は、透明強化樹脂、強化ガラス、透明セラミックなどの、強度の大きな透明材料で形成されている。
【００３３】
しかしながら、この紙幣受入装置３においては、上記第１の実施の形態にかかる紙幣受入装置３のように、紙幣挿入口枠５の外周部以外の大部分の箇所が、前面扉４の前面扉板４ａに形成された比較的大きな開口面積の取付孔４ｂに嵌め込まれて前面扉４に取り付けられている構造ではなくて、紙幣識別装置１の紙幣挿入口２に接続される紙幣誘導路１０をなす部分、すなわち、紙幣挿入口枠５の上部だけが、後方に延設され、この箇所だけが前面扉板４ａに形成された比較的小さな開口面積の取付孔４ｂに嵌め込まれて前面扉４に取り付けられている。また、この紙幣挿入口枠５の上部における上面部と両側面部とは、その後面寄り箇所が上方と両側方に鍔状に広がるように形成されて、この鍔状部５ａが前面扉４の前面扉板４ａに裏面側から当接して位置規制されるようになっているが、紙幣挿入口枠５の上部における下面箇所には、前面扉板４ａの取付孔４ｂに臨む下辺部に係合する係合爪１４が複数箇所に一体形成されている。また、紙幣挿入口枠５における係合爪１４と主ガイド面７をなす箇所の背面との間には、前面扉板４ａの厚みに対応するスリット１５が形成されている。
【００３４】
そして、この紙幣受入装置３を前面扉板４ａに取り付ける場合には、図７（ａ）、（ｂ）に示すように、前面扉板４ａの取付孔４ｂに紙幣挿入口枠５の挿入ガイド９を、裏面側から手前に通すように差し込み、さらに、図７（ｃ）に示すように、紙幣挿入口枠５の係合爪１４が前面扉板４ａの取付孔４ｂに臨む下辺部分端面に当たるまで、差し込む。そして最後に、図７（ｄ）に示すように、紙幣挿入口枠５をＩ方向に押し込むことにより、前面扉板４ａの取付孔４ｂに臨む下辺部分端面に、紙幣挿入口枠５のスリット１５が設けられている箇所が差し込まれるように入り込んで、紙幣挿入口枠５の全体が下がり、これに伴って、紙幣挿入口枠５の上端部箇所も取付孔４ｂに嵌り込んで、紙幣挿入口枠５の取付作業を完了できるようになっている。なお、この後、前面扉４の所定箇所に紙幣識別装置１が組込まれるため、紙幣識別装置１を取り外さない限り、紙幣挿入口枠５だけを、単体で後方に離脱させることはできないよう図られている。
【００３５】
この構成によっても、紙幣挿入口枠５が透明材料で形成されているので、紙幣誘導路１０における紙幣６の進み具合を良好に視認できて、紙幣６の先端が紙幣識別装置１の紙幣挿入口２に進入したことも容易に見ることができ、紙幣６の取込動作が始められた際も、この取り込み動作を、手で感じるだけでなく、目によっても確認できて、便利である。また、上記第１の実施の形態に係る紙幣受入装置３と同様の各種利点も得ることができる。
【００３６】
さらに、この構成によれば、取付孔４ｂは紙幣誘導路１０をなす部分だけに対応して設けられており、挿入ガイド９の裏面に対応する箇所には形成されていないので、挿入ガイド９および紙幣誘導路１０をなす部分全体が透明材料で一体形成されているにもかかわらず、紙幣誘導路１０以外の箇所は、前面扉板４ａにより視界が遮られて外部から中を見ることができず、これにより、防盗性を向上させることができる。また、この紙幣受入装置３をなす紙幣挿入口枠５は金属板であるので十分な強度を有するが、万一、この紙幣受入装置３（紙幣挿入口枠５）が破壊された場合でも、取付孔４ｂが小さいため、取付孔４ｂから治具を挿入して前面扉４などを破壊することが、より困難化され、この結果、防盗性を向上させることができる。
【００３７】
次に、図８〜図１０は本発明の第３の実施の形態に係る自動販売機の紙幣受入装置を示すもので、図８は同紙幣受入装置の正面図、図９は同紙幣受入装置およびその近傍箇所の図８Ｊ−Ｊ線に対応する位置での側面断面図、図１０（ａ）〜（ｄ）は同紙幣受入装置の各部品の断面図ならびに正面図である。なお、上記第２の実施の形態に係る自動販売機の紙幣受入装置と同機能のものには同符号を付して、その説明は省略する。
【００３８】
この紙幣受入装置３においては、上記第２の実施の形態に係る紙幣受入装置３の表側曲面ガイド部１１に対応する、この紙幣受入装置１６におけるトンネル状の紙幣誘導路１０の表面側部分をなす表側曲面ガイド体１７が紙幣挿入口枠５とは別体で構成され、紙幣挿入口枠５は不透明材料で構成されている一方、表側曲面ガイド体１７だけが透明材料で形成されている。そして、表側曲面ガイド体１７の上端に上下に延びるように形成されている上辺部１７ａが、紙幣挿入口枠５の上端部と、紙幣識別装置１における紙幣挿入口２の上方枠部分とに挟持された状態で固定されている。なお、表側曲面ガイド体１７は、図１１（ａ）〜（ｃ）に示すようにして、紙幣挿入口枠５の上部に挿入されるとともに嵌め込まれて、組みつけられる。また、この紙幣受入装置１６における紙幣挿入口枠５は、高強度エンジニアリングプラスチックやダイカスト製品などの、不透明で、強度がより高い材質のものが採用されている。
【００３９】
この構成によれば、表側曲面ガイド体１７は透明材料で形成されているので、紙幣投入時に紙幣誘導路１０における紙幣６の進み具合も良好に視認できて便利でありながら、紙幣挿入口枠５をより強度の高いものを選択でき、この結果、さらに防盗性を向上させることができる。また、表側曲面ガイド体１７の組付けも簡単であるので、あまり手間を掛けずに済む。
【００４０】
なお、紙幣挿入口枠５に透明な表側曲面ガイド体１７を固定する上記以外の手段として、接着材や超音波溶着などの方法や、別途固定部材を設けて固定する方法を用いてもよい。また、紙幣挿入口枠５または表側曲面ガイド体１７のどちらか一方にラッチ構造状の弾性を有する爪を設けるとともに、他の一方にはその爪の突起が嵌り込む凹部または孔を設けて、嵌合させて固定してもよい。
【００４１】
さらに、図１２は本発明の第３の実施の形態に係る自動販売機の紙幣受入装置の変形例を示す側面断面図である。
図１２に示すように、この紙幣受入装置３においても、表側曲面ガイド体１７が紙幣挿入口枠５とは別体で構成され、紙幣挿入口枠５は不透明材料で構成されている一方、表側曲面ガイド体１７は透明材料で形成されている。そして特に、表側曲面ガイド体１７の上端部に軸部１７ｂが一体形成されており、紙幣挿入口枠５の上端部近傍箇所に一体形成された保持枠部５ｂにより、軸部１７ｂが回動可能な姿勢で保持されている。また、表側曲面ガイド体１７の下端部１７ｃが、斜め下方に延設されて、紙幣誘導路１０の下部開口部１０ｂが手前側に広がるように形成されている。
【００４２】
この構成において、自動販売機の販売待機状態では、図１２において実線で示すように、自重により、上記第１〜第３の実施の形態と同様に、表側曲面ガイド体１７があまり開いていない状態で保持されているので、自動販売機を戸外などに設置した場合でも、紙幣誘導路１０から内部に雨水や異物が入り込むことを防止でき、雨水や異物の侵入による紙幣識別装置１の故障も防止できて、良好な信頼性が維持される。
【００４３】
そして特に、このように雨水や異物が入り込むことを防止できながら、自動販売機の利用者にて、紙幣６の挿入操作で紙幣６を略垂直に配設された主ガイド面７に押し付けながら上方にスライドさせて投入する時に、手が表側曲面ガイド体１７の下端部１７ｃに下方から当たると、この表側曲面ガイド体１７が手前側上方へ逃げるように開いて、この結果、紙幣６の上方へのスライド量を多くとれて紙幣６の挿入操作を一層楽に行うことができ、利便性が向上する。
【００４４】
図１３〜図１５は本発明の第４の実施の形態に係る自動販売機の紙幣受入装置を示すもので、図１３は同紙幣受入装置の正面図、図１４は同紙幣受入装置およびその近傍箇所の図１３Ｍ−Ｍ線に対応する位置での側面断面図、図１５は同紙幣受入装置の側面断面図である。なお、上記第３の実施の形態に係る自動販売機の紙幣受入装置と同機能のものには同符号を付して、その説明は省略する。
【００４５】
図１３、図１４に示すように、この紙幣受入装置３においては、紙幣挿入口枠５の下端部に、手前側に少し突出する紙幣落下防止片１８が一体形成されており、この紙幣落下防止片１８により、紙幣識別装置１から紙幣６が押し戻されて排出された際や、紙幣識別装置１にうまく導入されなかった際などに、紙幣６の下端辺に位置する箇所に当接して、紙幣６が落下することを防止するようになっている。さらに、図１５に示すように、紙幣落下防止片１８が、紙幣識別装置１から排出された紙幣６が膨らむような状態となるような位置に配設されている。すなわち、紙幣落下防止片１８は、紙幣誘導路１０のガイド曲面１０ａからの距離が、紙幣６の長手方向長さよりも、少し、短い距離となるような位置に形成されている。
【００４６】
この構成において、紙幣識別装置１で紙幣６が不良判定されるなどして、紙幣挿入口２から紙幣６が手前側に押し戻された場合には、この紙幣６が紙幣誘導路１０のガイド曲面１０ａに沿うように屈曲して下方に案内される。このように紙幣６が紙幣識別装置１の紙幣挿入口２から紙幣６が排出されたり、紙幣識別装置１に紙幣がうまく導入されなかったりした場合でも、紙幣６の下端辺が紙幣落下防止片１８に当接し、紙幣６が紙幣受入装置３から落下することが防止される。これにより、紙幣６の落下が防止されるので、極めて便利であり、特に、手先や腕などが身体的に不自由な人や車椅子使用者、お年寄りなどの利用者にとっては特に有用である。また、上記のように、紙幣６の下端辺が紙幣落下防止片１８に当接して引っ掛かった際には、紙幣識別装置１から排出された紙幣６が図１５のＮ方向に少し移動して膨らむような状態となるので、この紙幣５の膨らみ部分を容易につかむことができて、さらに便利である。
【００４７】
図１６、図１７は本発明の第５の実施の形態に係る自動販売機の紙幣受入装置を示すもので、図１６は同紙幣受入装置の正面図、図１７は同紙幣受入装置およびその近傍箇所の図１６Ｏ−Ｏ線に対応する位置での側面断面図である。なお、上記第３の実施の形態に係る自動販売機の紙幣受入装置と同機能のものには同符号を付して、その説明は省略する。
【００４８】
図１６、図１７に示すように、この紙幣受入装置３においては、紙幣６を挿入時に案内する主ガイド面７が、下方ほど手前側に突出するように、若干傾斜されている。
このように主ガイド面７を、垂直よりも少し手前側に傾斜する傾斜面とすることで、利用者が紙幣６を投入する際に、その傾斜角度分だけ紙幣６を上向きに支える力を少なくできて、紙幣６を軽く支える程度で済んで、挿入操作がより楽になる。特に、手先や腕が不自由な人にとっては、非常に効果的であり、これによっても利便性が向上する。
【図面の簡単な説明】
【００４９】
【図１】本発明の第１の実施の形態にかかる自動販売機の紙幣受入装置の正面図である。
【図２】同紙幣受入装置およびその近傍箇所の図１Ｅ−Ｅ線に対応する位置での側面断面図である。
【図３】（ａ）〜（ｃ）はそれぞれ同紙幣受入装置の紙幣を投入している状態を示す側面断面図である。
【図４】同紙幣受入装置の斜視図である。
【図５】本発明の第２の実施の形態に係る自動販売機の紙幣受入装置の正面図である。
【図６】同紙幣受入装置およびその近傍箇所の図５Ｈ−Ｈ線に対応する位置での側面断面図である。
【図７】（ａ）〜（ｄ）はそれぞれ同紙幣受入装置の組みつけ順序を示す簡略的な断面図である。
【図８】本発明の第３の実施の形態に係る自動販売機の紙幣受入装置の正面図である。
【図９】同紙幣受入装置およびその近傍箇所の図８Ｊ−Ｊ線に対応する位置での側面断面図である。
【図１０】（ａ）および（ｂ）は同紙幣受入装置の表側曲面ガイド体の正面図および図１０（ａ）Ｋ−Ｋ線での側面断面図、（ｃ）および（ｄ）は同紙幣受入装置の紙幣挿入口枠の正面図ならびに図１０（ｃ）Ｌ−Ｌ線での側面断面図である。
【図１１】（ａ）〜（ｃ）はそれぞれ同紙幣受入装置の表側曲面ガイド体の組みつけ手順を示す側面断面図である。
【図１２】本発明の第３の実施の形態に係る自動販売機の紙幣受入装置の変形例を示す側面断面図である。
【図１３】本発明の第４の実施の形態に係る自動販売機の紙幣受入装置を示す正面図である。
【図１４】同紙幣受入装置およびその近傍箇所の図１３Ｍ−Ｍ線に対応する位置での側面断面図である。
【図１５】同紙幣受入装置の側面断面図である。
【図１６】本発明の第５の実施の形態に係る自動販売機の紙幣受入装置の正面図である。
【図１７】同紙幣受入装置およびその近傍箇所の図１６Ｏ−Ｏ線に対応する位置での側面断面図である。
【図１８】従来の自動販売機の紙幣受入装置の正面図である。
【図１９】同従来の紙幣受入装置およびその近傍箇所の図１８Ａ−Ａ線に対応する位置での側面断面図である。
【図２０】その他の従来の自動販売機の紙幣受入装置の正面図である。
【図２１】同従来の自動販売機の紙幣受入装置の斜視図である。
【図２２】同従来の紙幣受入装置およびその近傍箇所の図２０Ｄ−Ｄ線に対応する位置での側面断面図である。
【符号の説明】
【００５０】
１      紙幣識別装置（ビルバリデータ）
２      紙幣挿入口
３      紙幣受入装置
４      前面扉
４ａ    前面扉板
４ｂ    取付孔
５      紙幣挿入口枠
６      紙幣
７      主ガイド面
８      補助ガイド壁
９      挿入ガイド
１０    紙幣誘導路
１０ｂ  下部開口部
１４    係合爪
１５    スリット
１７    表側曲面ガイド体
１８    紙幣落下防止片
【図１】
2006244322.tif 000003
【図２】
2006244322.tif 000004
【図３】
2006244322.tif 000005
【図４】
2006244322.tif 000006
【図５】
2006244322.tif 000007
【図６】
2006244322.tif 000008
【図７】
2006244322.tif 000009
【図８】
2006244322.tif 000010
【図９】
2006244322.tif 000011
【図１０】
2006244322.tif 000012
【図１１】
2006244322.tif 000013
【図１２】
2006244322.tif 000014
【図１３】
2006244322.tif 000015
【図１４】
2006244322.tif 000016
【図１５】
2006244322.tif 000017
【図１６】
2006244322.tif 000018
【図１７】
2006244322.tif 000019
【図１８】
2006244322.tif 000020
【図１９】
2006244322.tif 000021
【図２０】
2006244322.tif 000022
【図２１】
2006244322.tif 000023
【図２２】
2006244322.tif 000024